(57)【要約】【課題】樹脂の流動性解析を行うソフトウェアから出力されたデータを汎用性の高い有限要素法解析ソフトウェアで利用可能な形式に変換すること。【解決手段】樹脂流動解析結果をコンター図形式で記述したファイルを読み込むＳ１、流動解析結果ファイルのコンタースケールから色調段階データテーブルを作成して保持するＳ２、要素の重心座標点を記述したファイルから１要素分の重心座標点データを読み込むＳ３、重心座標点の周辺座標点における色調段階をコンター図から読み取るＳ４、周辺座標点の色調段階を比較して重心座標点の樹脂の流動方向を算出して出力するＳ５、未読込みの重心座標点のデータが存在するか否かを判断し、読み込まれていないデータが存在する場合には、その重心座標点についてＳ３からＳ５までを実行し、そのようなデータが存在しない場合には処理を終了するＳ６の処理を実行する。【選択図】　図１
2004074654.tif 000002
【特許請求の範囲】
【請求項１】
射出成形品の形状に基づいて複数の座標点を含む要素毎に分割されたシミュレーション用モデルを用いて成形シミュレーション用データベースファイルを生成する成形シミュレーション用データベースファイルの生成方法において、
前記モデルにおける樹脂の流動解析結果をコンター図形式で記述した流動解析結果ファイルを演算装置に読み込む第１の工程と、
前記流動解析結果ファイルのコンタースケールに係るデータに基づいて色調段階データテーブルを作成し、この色調段階データテーブルを記憶装置に保持する第２の工程と、
前記モデルにおける各要素の重心座標点を記述した重心座標ファイルから、１要素分の重心座標点のデータを前記演算装置に読み込む第３の工程と、
読み込まれた前記重心座標点のデータに基づいて前記重心座標点の複数の周辺座標点を設定し、前記流動解析結果ファイルのコンター図からこれらの周辺座標点における色調段階を読み取る第４の工程と、
読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を所定形式のデータとして出力する第５の工程と、
前記演算装置に読み込まれていない前記重心座標ファイルの重心座標点のデータが存在するか否かを判断し、読み込まれていない重心座標点のデータが存在する場合には、読み込まれていない重心座標点について前記第３の工程から前記第５の工程までを実行し、読み込まれていない重心座標点のデータが存在しない場合には、処理を終了する第６の工程を有することを特徴とする成形シミュレーション用データベースファイルの生成方法。
【請求項２】
射出成形品の形状に基づいて複数の座標点を含む要素毎に分割されたシミュレーション用モデルを用いて成形シミュレーション用データベースファイルを生成する成形シミュレーション用データベースファイルの生成プログラムにおいて、
前記モデルにおける樹脂の流動解析結果をコンター図形式で記述した流動解析結果ファイルを演算装置に読み込む第１の手順と、
前記流動解析結果ファイルのコンタースケールに係るデータに基づいて色調段階データテーブルを作成し、この色調段階データテーブルを記憶装置に保持する第２の手順と、
前記モデルにおける各要素の重心座標点を記述した重心座標ファイルから、１要素分の重心座標点のデータを前記演算装置に読み込む第３の手順と、
読み込まれた前記重心座標点のデータに基づいて前記重心座標点の複数の周辺座標点を設定し、前記流動解析結果ファイルのコンター図からこれらの周辺座標点における色調段階を読み取る第４の手順と、
読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を所定形式のデータとして出力する第５の手順と、
前記演算装置に読み込まれていない前記重心座標ファイルの重心座標点のデータが存在するか否かを判断し、読み込まれていない重心座標点のデータが存在する場合には、読み込まれていない重心座標点について前記第３の工程から前記第５の工程までを実行し、読み込まれていない重心座標点のデータが存在しない場合には、処理を終了する第６の手順を有することを特徴とする成形シミュレーション用データベースファイルの生成プログラム。
【請求項３】
射出成形品の形状に基づいて複数の座標点を含む要素毎に分割されたシミュレーション用モデルを用いて成形シミュレーション用データベースファイルを生成する成形シミュレーション用データベースファイルの生成プログラムにおいて、
前記モデルにおける樹脂の流動解析結果をコンター図形式で記述した流動解析結果ファイルを演算装置に読み込む第１の手順と、
前記流動解析結果ファイルのコンタースケールに係るデータに基づいて色調段階データテーブルを作成し、この色調段階データテーブルを記憶装置に保持する第２の手順と、
前記モデルにおける各要素の重心座標点を記述した重心座標ファイルから、１要素分の重心座標点のデータを前記演算装置に読み込む第３の手順と、
読み込まれた前記重心座標点のデータに基づいて前記重心座標点の複数の周辺座標点を設定し、前記流動解析結果ファイルのコンター図からこれらの周辺座標点における色調段階を読み取る第４の手順と、
読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を前記記憶装置に保持する第５の手順と、
前記演算装置に読み込まれていない前記重心座標ファイルの重心座標点のデータが存在するか否かを判断し、読み込まれていない重心座標点のデータが存在する場合には、読み込まれていない重心座標点について前記第３の工程から前記第５の工程までを実行し、読み込まれていない重心座標点のデータが存在しない場合には、前記記憶装置に保持されたすべての要素における樹脂の流動方向のデータを所定形式のファイルとして出力する第６の手順を有することを特徴とする成形シミュレーション用データベースファイルの生成プログラム。
【発明の詳細な説明】
【０００１】
【発明の属する分野】
本発明は、成形シミュレーション用データベースファイルの生成方法及びプログラムに関する。
【０００２】
【従来の技術】
半導体パッケージなどの射出成形品の成形シミュレーションは、成形材料の物理的特性や金型形状、射出成形プロセスにおける金型温度分布、温度変化などを考慮して行われる。具体的には、例えば有限要素法解析ソフトウェアをインストールしたコンピュータに対して、解析対象となる射出成形品の形状に関する３次元ＣＡＤデータや、金型形状に関する３次元ＣＡＤデータ、金型の温度分布、樹脂の充填速度、あるいは成形材料、つまり樹脂の流動性に関するデータなどの各種データを入力する。なお、樹脂の流動性に関するデータは、樹脂の流動性の解析を行うことのできるソフトウェアを用いて事前に作成しておく必要がある。そして、当該コンピュータは、入力されたデータから、モデルの形状の各要素、つまり細分化された射出成形品の各領域に生じるひけ、反り、収縮などを算出し、算出した結果を射出成形品の全体的な変形を把握できるような画像情報などにして出力する。
【０００３】
ところで、汎用性の高い有限要素法解析ソフトウェアの中には、射出成形品の成形シミュレーションに適していないものが多い。すなわち、射出成形品の成形シミュレーションに行うためには、上述のように樹脂の流動性に関するデータが必要になる。このデータは、樹脂を成形された樹脂がどちらの方向に流動するかを示すものであり、具体的には、解析対象となるモデルを各要素の流動方向（角度）として記述したＣＳＶ形式などのデータベースファイルである。しかしながら、樹脂の流動性等を解析する解析用ソフトウェアは、このようなデータベースファイルを出力できない場合がある。したがって、データベースファイルを出力できない場合には、高価な科学計算用ソフトウェアによってデータベースファイルを作成する必要があった。
【０００４】
【発明が解決しようとする課題】
そこで本発明は、上記の課題を解決するために、樹脂の流動性解析を行うソフトウェアから出力されたデータを汎用性の高い有限要素法解析ソフトウェアで利用可能な形式に変換することを目的としている。
【０００５】
【課題を解決するための手段】
上記課題を解決するための手段として、本発明は、射出成形品の形状に基づいて複数の座標点を含む要素毎に分割されたシミュレーション用モデルを用いて成形シミュレーション用データベースファイルを生成する成形シミュレーション用データベースファイルの生成方法において、前記モデルにおける樹脂の流動解析結果をコンター図形式で記述した流動解析結果ファイルを演算装置に読み込む第１の工程と、前記流動解析結果ファイルのコンタースケールに係るデータに基づいて色調段階データテーブルを作成し、この色調段階データテーブルを記憶装置に保持する第２の工程と、前記モデルにおける各要素の重心座標点を記述した重心座標ファイルから、１要素分の重心座標点のデータを前記演算装置に読み込む第３の工程と、読み込まれた前記重心座標点のデータに基づいて前記重心座標点の複数の周辺座標点を設定し、前記流動解析結果ファイルのコンター図からこれらの周辺座標点における色調段階を読み取る第４の工程と、読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を所定形式のデータとして出力する第５の工程と、前記演算装置に読み込まれていない前記重心座標ファイルの重心座標点のデータが存在するか否かを判断し、読み込まれていない重心座標点のデータが存在する場合には、読み込まれていない重心座標点について前記第３の工程から第５の工程までを実行し、読み込まれていない重心座標点のデータが存在しない場合には、処理を終了する第６の工程を有することを特徴とするものとした。
【０００６】
したがって、本発明の成形シミュレーション用データベースファイルの生成方法によれば、解析用ソフトウェアから出力された樹脂の流動解析結果をコンター図形式で記述したファイルを利用して、有限要素法解析ソフトウェアに入力可能なファイルを作成できる。よって、有限要素法解析ソフトウェアを用いて射出成形品の成形シミュレーションを行う際に、解析用ソフトウェアが出力したファイルを利用することができるようになり、科学計算用ソフトウェアを別途用意する必要がなくなる。
【０００７】
また、本発明は、射出成形品の形状に基づいて複数の座標点を含む要素毎に分割されたシミュレーション用モデルを用いて成形シミュレーション用データベースファイルを生成する成形シミュレーション用データベースファイルの生成プログラムにおいて、前記モデルにおける樹脂の流動解析結果をコンター図形式で記述した流動解析結果ファイルを演算装置に読み込む第１の手順と、前記流動解析結果ファイルのコンタースケールに係るデータに基づいて色調段階データテーブルを作成し、この色調段階データテーブルを記憶装置に保持する第２の手順と、前記モデルにおける各要素の重心座標点を記述した重心座標ファイルから、１要素分の重心座標点のデータを前記演算装置に読み込む第３の手順と、読み込まれた前記重心座標点のデータに基づいて前記重心座標点の複数の周辺座標点を設定し、前記流動解析結果ファイルのコンター図からこれらの周辺座標点における色調段階を読み取る第４の手順と、読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を所定形式のデータとして出力する第５の手順と、前記演算装置に読み込まれていない前記重心座標ファイルの重心座標点のデータが存在するか否かを判断し、読み込まれていない重心座標点のデータが存在する場合には、読み込まれていない重心座標点について前記第３の工程から第５の工程までを実行し、読み込まれていない重心座標点のデータが存在しない場合には、処理を終了する第６の手順を有することを特徴とするものとした。
【０００８】
したがって、本発明の成形シミュレーション用データベースファイルの生成プログラムによれば、上述の成形シミュレーション用データベースファイルの生成方法における場合と同様に、解析用ソフトウェアが出力したファイルを利用することができるようになり、科学計算用ソフトウェアを別途用意する必要がなくなる。
【０００９】
さらに、本発明は、射出成形品の形状に基づいて複数の座標点を含む要素毎に分割されたシミュレーション用モデルを用いて成形シミュレーション用データベースファイルを生成する成形シミュレーション用データベースファイルの生成プログラムにおいて、前記モデルにおける樹脂の流動解析結果をコンター図形式で記述した流動解析結果ファイルを演算装置に読み込む第１の手順と、前記流動解析結果ファイルのコンタースケールに係るデータに基づいて色調段階データテーブルを作成し、この色調段階データテーブルを記憶装置に保持する第２の手順と、前記モデルにおける各要素の重心座標点を記述した重心座標ファイルから、１要素分の重心座標点のデータを前記演算装置に読み込む第３の手順と、読み込まれた前記重心座標点のデータに基づいて前記重心座標点の複数の周辺座標点を設定し、前記流動解析結果ファイルのコンター図からこれらの周辺座標点における色調段階を読み取る第４の手順と、読み取られた複数の前記周辺座標点における色調段階を前記記憶装置に保持された前記色調段階データテーブルに基づいて相互に比較し、比較結果から読み込まれた前記重心座標点を含む要素における樹脂の流動方向を算出し、算出結果を前記記憶装置に保持する第５の手順と、前記演算装置に読み込まれていない前記重心座標ファイルの重心座標点のデータが存在するか否かを判断し、読み込まれていない重心座標点のデータが存在する場合には、読み込まれていない重心座標点について前記第３の工程から第５の工程までを実行し、読み込まれていない重心座標点のデータが存在しない場合には、前記記憶装置に保持されたすべての要素における樹脂の流動方向のデータを所定形式のファイルとして出力する第６の手順を有することを特徴とするものとした。
【００１０】
したがって、本発明によれば、上述の成形シミュレーション用データベースファイルの生成プログラムと同様の作用が得られる。
【００１１】
【発明の実施の形態】
以下に、本発明の実施の形態に係る成形シミュレーション用データベースファイルの生成方法及びプログラムを図面に基づいて詳細に説明する。この成形シミュレーション用データベースファイルの生成方法は、成形される樹脂の流動解析結果をコンター図形式で記述したファイルと、成形シミュレーション用モデルの形状を小領域に分割している要素の重心点の座標データをＣＳＶ形式で記述したファイルから、成形シミュレーション用モデルの各要素における樹脂の流動方向（角度）をＣＳＶ形式のファイルとして出力するものであり、コンピュータ上で実行されるものである。なお、本発明の実施の形態に係る成形シミュレーション用データベースファイルの生成方法によって得られたファイルは、有限要素法解析ソフトウェアに読み込まれて、成形品の反りなどを予測するための成形シミュレーションに供される。また、本発明の実施の形態に係る成形シミュレーション用データベースファイルの生成プログラムは、この成形シミュレーション用データベースファイルの生成方法を実行するものである。
【００１２】
ここで、この成形シミュレーション用データベースファイルの生成方法を実行するためのコンピュータの一例について述べる。図１０は、本発明の実施の形態に係る成形シミュレーション用データベースファイルの生成方法を実行するためのコンピュータの一例の構成図である。図１０において、３０はコンピュータ、３１はＣＰＵ、３２はＲＯＭ、３３はＲＡＭ、３４はキーボード、３５はＦＤドライブ、３６はディスプレイ、３７はネットワーク・インタフェース、３８はバスを示す。コンピュータ１０は、ＣＰＵ３１、ＲＯＭ３２、ＲＡＭ３３、キーボード３４、ＦＤドライブ３５、ディスプレイ３６、ネットワーク・インタフェース３７、ＨＤドライブ３８を有し、これらがバス３９で接続されている。また、ネットワーク・インタフェース３７を介してＬＡＮに接続されている。なお、図１０に示したものは一例にすぎず、この成形シミュレーション用データベースファイルの生成方法を実行可能であれば他の構成であっても良い。
【００１３】
また、本発明の実施の形態に係る成形シミュレーション用データベースファイルの生成方法を実行するためには、あらかじめ流動解析可能なソフトウェアで、成形に利用する樹脂を解析対象モデルの形状に成形するときに、樹脂がどのように流動するのか解析し、その解析結果をコンター図形式で記述したファイル（ＢＭＰファイル）として出力しておく必要がある。図２は、コンター図形式で記述された画像ファイルの説明図である。また、図３は、コンタースケールと色調段階テーブルの関係を示す説明図である。なお、図２及び図３において、１１はコンター図、１２はコンタースケール、１３は色調段階テーブルを示す。また、これらの図の図形中に記載されたパターンは、本来色調として表されているものである。
【００１４】
コンター図１１の色調は、樹脂の流動を時系列的に表したものであり、樹脂成形時における時間の経過をコンタースケール１２から読み取ることができる。すなわち、コンタースケール１２は、上端の色調から下端の色調に向かう、つまり色調段階が高くなるにつれて時間が経過して行くことを示している。したがって、樹脂は、コンタースケール１２の上端の色調から下端の色調に向かって流動していることになる。そして、後述するように、コンタースケール１２から色調段階テーブル１３が作成されて、図１０のＲＡＭ３３に保持される。
【００１５】
さらに、本発明の実施の形態に係る成形シミュレーション用データベースファイルの生成方法を実行するために、３ＤＣＡＤソフトウェアなどで、解析対象モデルの形状に係るＣＡＤデータから、このモデルの各要素における重心の座標データをＣＳＶ形式で記述したファイルとして出力しておく必要がある。図４は、成形モデルの要素と重心座標データの説明図である。図４において、１５は要素、１６は重心点、２４はモデルの一部領域を示す。すなわち、解析対象となるモデルの形状を小領域に分割した要素１５の重心点１６の座標データが必要となる。なお、以下の説明において述べるファイルは、それぞれＦＤに記録されているものとする。
【００１６】
図１は、本発明の実施の形態に係る成形シミュレーション用データベースファイルの生成方法の一例を示すフロー図である。Ｓ１に示すように、コンピュータ１０において、上述の樹脂の解析結果をコンター図形式で記述したファイルを図１０のＦＤドライブ３５を介して読み込む。次に、Ｓ２に示すように、コンピュータ１０においてコンター図の色調段階の分析を可能とするために、コンタースケール１２から色調段階テーブル１３を作成して図１０のＲＡＭ３３に保持する。
【００１７】
そして、Ｓ３に示すように、ＦＤドライブ３５を介して重心点１６の座標データをＣＳＶ形式で記述したファイルから重心点１６の座標データを読み込む。次に、Ｓ４に示すように、重心点１６における樹脂の流動方向を算出する。ここで、この流動方向の算出方法について詳しく述べる。図５は、成形モデルの１つの要素の重心点とコンター図との関係を示す説明図である。図５において、２３はコンター図の一部領域を示す。また、図６は、重心点を中心とする同心円の設定例を示す断面図である。図６において、１７は重心点を中心とする円Ａ、１８は重心点を中心とする円Ｂを示す。さらに、図７は、樹脂の流動方向を決定する方法の説明図であり、（ａ）は調査点の色調段階から円ごとの樹脂の流動方向を決定する方法を示し、（ｂ）は重心点における樹脂の流動方向を決定する方法を示している。図７において、１９ａ〜ｐは調査点、２０は円Ａ上のポイントに基づく流動方向、２１は円Ｂ上のポイントに基づく流動方向、２２は算出された流動方向を示す。また、図８は、コンター図上における樹脂の流動方向を示す説明図である。
【００１８】
図５に示すように、重心点１６の周辺には様々な色調段階の領域が存在しており、重心点１６における樹脂の流動方向を算出するためには、周辺領域の色調段階を調べ、さらに調べた色調段階を相互に比較する必要がある。そこで、図６に示すように、まず重心点１６を中心とし、異なる半径を持つ円を２つ設定する。そして、図７（ａ）に示すように、重心点を中心とする円Ａ１７と、重心点を中心とする円Ｂ１８とに、それぞれ８つの色調段階の調査点１９ａ〜ｈ、１９ｉ〜ｐを設定する。
【００１９】
次に、コンター図１１のそれぞれの調査点に対応する色調を読み取り、読み取った色調が色調段階テーブル１３のどの色調に当てはまるか調べる。そして、これらの円において各調査点の色調段階を相互に比較し、もっとも色調段階の低いものと、もっとも色調段階の高いものを決定する。例えば、図７（ａ）に示した例では、重心点を中心とする円Ａ１７においては調査点１９ｅの色調段階が最高で、調査点１９ａの色調段階が最低であり、重心点を中心とする円Ｂ１８においては調査点１９ｉの色調段階が最低で、調査点１９ｍの色調段階が最高である。上述のように、樹脂は、低い色調段階の領域から高い色調段階の領域へ流れている。したがって、重心点を中心とする円Ａ１７では、円Ａ上のポイントに基づく流動方向２０の方向へ樹脂が流動していると見なすことができる。同様に、重心点を中心とする円Ｂ１８では、円Ｂ上のポイントに基づく流動方向２１の方向へ流動していると言える。
【００２０】
さらに、図７（ｂ）に示すように、重心点１６における樹脂の流動方向をより精確に算出するために、円Ａ上のポイントに基づく流動方向２０に示される方向と、円Ｂ上のポイントに基づく流動方向２１の方向との中間の方向を算出する。そして、算出された流動方向２２を図８の重心点１６における流動方向とする。なお、所定の方向に対する角度として記述される。以上がＳ４における詳細な処理手順である。
【００２１】
なお、以上の例においては、重心点を中心とする円を２つ設定するものとしたが、樹脂の流動方向をさらに精確に算出するために、重心点の近傍の範囲において３つあるいは４つ以上設定することが好ましい。また、これらの円上の調査点も、８つ以上、例えば、３２個あるいは６４個くらい設定することが好ましい。
【００２２】
図１に戻って、Ｓ５に示すように、算出された流動方向２２として示した流動方向に係るデータを外部へ出力するために、このデータをＣＳＶ形式のファイルとしてＦＤドライブ３５を介してＦＤに書き込む。次に、Ｓ６に示すように、ＣＳＶ形式で記述したファイルから読み込まれていない重心点の座標データがあるか否かを判断する。そして、読み込まれていない重心点の座標データがある場合には、その座標データに対してＳ３からＳ５の処理を行う。また、読み込まれていない重心点の座標データがない場合には、すべての処理を終了する。なお、成形シミュレーション用データベースファイルの生成プログラムに関しては、以上の処理手順をＣ言語などによってコーディングすることによって実現される。
【００２３】
ところで、Ｓ５及びＳ６までの処理については、上述の処理手順に限られるものではなく、図９に示すＳ１５からＳ１７に示す処理手順に置き換えてもよい。図９は、本発明の実施の形態に係る成形シミュレーション用データベースファイルの生成方法の変形例を示すフロー図である。すなわち、図１０に示す方法においては、Ｓ１５において、算出された流動方向２２をＦＤに書き込まずに、いったんＲＡＭ３３などに保持しておく。次に、Ｓ１６においてＳ６と同じ判断を行う。そして、読み込まれていない重心点の座標データがない場合には、Ｓ１７に示すように、ＲＡＭ３３などに保持したすべての流動方向に係るデータを一気にＦＤに書き込んでもよい。この処理手順の場合、ＲＡＭ３３などのメモリの容量が相当程度大きくないと実行できないが、ＦＤへの書き込みが１回のみとなり、ＦＤへの書き込み時間の短縮化が図れる。
【００２４】
また、以上のＳ６またはＳ１７に示す処理に続けて、有限要素法解析ソフトウェアへ流動方向に係るデータと、別途用意した３次元ＣＡＤデータや成形条件に関するデータを渡して、有限要素法解析ソフトウェアに予測される反り等の算出を開始させる処理手順を加えてもよい。さらに、Ｓ３において読み込まれるモデルの各要素における重心の座標データファイルは、ＣＳＶ形式以外のデータベースファイルであってもよい。くわえて、Ｓ５において出力される流動方向に係るデータは、必要に応じてＣＳＶ形式以外のデータベースファイルとして出力されてもよい。また、以上の処理手順を実行させるためのインターフェースは、Ｗｅｂブラウザ上で簡単に実行できるように、ＨＴＭＬをベースに作成することも可能である。
【００２５】
【発明の効果】
以上のように本発明によれば、射出成形品の形状に基づいて複数の座標点を含む要素毎に分割されたシミュレーション用モデルを用いて成形シミュレーション用データベースファイルを生成する成形シミュレーション用データベースファイルの生成方法において、前記モデルにおける樹脂の流動解析結果をコンター図形式で記述した流動解析結果ファイルを演算装置に読み込む第１の工程と、前記流動解析結果ファイルのコンタースケールに係るデータに基づいて色調段階データテーブルを作成し、この色調段階データテーブルを記憶装置に保持する第２の工程と、前記モデルにおける各要素の重心座標点を記述した重心座標ファイルから、１要素分の重心座標点のデータを前記演算装置に読み込む第３の工程と、読み込まれた前記重心座標点のデータに基づいて前記重心座標点の複数の周辺座標点を設定し、前記流動解析結果ファイルのコンター図からこれらの周辺座標点における色調段階を読み取る第４の工程と、読み取られた複数の前記周辺座標点における色調段階を相互に比較し、比較結果から読み込まれた前記重心座標点を含む要素における樹脂の流動方向を算出し、算出結果を所定形式のデータとして出力する第５の工程と、前記演算装置に読み込まれていない前記重心座標ファイルの重心座標点のデータが存在するか否かを判断し、読み込まれていない重心座標点のデータが存在する場合には、読み込まれていない重心座標点について前記第３の工程から第５の工程までを実行し、読み込まれていない重心座標点のデータが存在しない場合には、処理を終了する第６の工程を有する構成にしたので、コンター図形式による流動解析結果データから成形シミュレーション用データベースファイルを作成できる。したがって、高価な科学計算用ソフトウェアの導入が不要となり、射出成型品の反り等を予測するシミュレーション作業を簡便に行うことが可能になる。
【００２６】
【図面の簡単な説明】
【図１】本発明の実施の形態に係る成形シミュレーション用データベースファイルの生成方法の一例を示すフロー図である。
【図２】コンター図形式で記述された画像ファイルの説明図である。
【図３】コンタースケールと色調段階テーブルの関係を示す説明図である。
【図４】成形モデルの要素と重心座標データの説明図である。
【図５】成形モデルの１つの要素の重心点とコンター図との関係を示す説明図である。
【図６】重心点を中心とする同心円の設定例を示す断面図である。
【図７】樹脂の流動方向を決定する方法の説明図である。
【図８】コンター図上における樹脂の流動方向を示す説明図である。
【図９】本発明の実施の形態に係る成形シミュレーション用データベースファイルの生成方法の変形例を示すフロー図である。
【図１０】本発明の実施の形態に係る成形シミュレーション用データベースファイルの生成方法を実行するためのコンピュータの一例の構成図である。
【符号の簡単な説明】
１１　コンター図
１２　コンタースケール
１３　色調段階テーブル
１４　重心座標データ
１５　要素
１６　重心点
１７　重心点を中心とする円Ａ
１８　重心点を中心とする円Ｂ
２０　円Ａ上のポイントに基づく流動方向
２１　円Ｂ上のポイントに基づく流動方向
２２　算出された流動方向
２３　コンター図の一部領域
２４　モデルの一部領域
３０　コンピュータ
３１　ＣＰＵ
３２　ＲＯＭ
３３　ＲＡＭ
３４　キーボード
３５　ＦＤドライブ
３６　ディスプレイ
３７　ネットワーク・インタフェース
３８　ＨＤドライブ
３９　バス
【図１】
2004074654.tif 000003
【図２】
2004074654.tif 000004
【図３】
2004074654.tif 000005
【図４】
2004074654.tif 000006
【図５】
2004074654.tif 000007
【図６】
2004074654.tif 000008
【図７】
2004074654.tif 000009
【図８】
2004074654.tif 000010
【図９】
2004074654.tif 000011
【図１０】
2004074654.tif 000012